(57)【要約】【課題】簡単かつ楽に背もたれの傾斜角度を調整することができる一種の椅子の調整式背もたれの連動調整構造を提供する。【解決手段】  椅座(20)の後方に傾斜角度の調整が可能な背もたれ(30)が設置され、椅座(20)両側にそれぞれ１つの調整ロッド(40)が設置され、各調整ロッド(40)は一端が背もたれ(30)両側と係合され、且つ、各調整ロッド(40)は係止装置(50)を具備し、該係止装置(50)により調整ロッド(40)を前後に移動させた後、位置を固定することができ、該調整ロッド(40)を前後に移動させる時、同時に背もたれ(30)の角度が変化し、２つの調整ロッド(40)が１つの連動ロッド(60)により結合されることにより、１つの調整ロッド(40)を動かした時、同時にもう１つの側の調整ロッド(40)も連動して動く構造となっている。【選択図】図４
0003118362.tif 000002
【実用新案登録請求の範囲】
【請求項１】
椅座(20)の後方に傾斜角度の調整が可能な背もたれ(30)が設置され、
椅座(20)両側にそれぞれ１つの調整ロッド(40)が設置され、
各調整ロッド(40)は一端が背もたれ(30)両側と係合され、
且つ、各調整ロッド(40)は係止装置(50)を具備し、
該係止装置(50)により調整ロッド(40)を前後に移動させた後、位置を固定することができ、
該調整ロッド(40)を前後に移動させる時、同時に背もたれ(30)の角度が変化し、２つの調整ロッド(40)が１つの連動ロッド(60)により結合されることにより、２つの調整ロッド(40)が連動して動く構造により、背もたれ(30)の傾斜角度を調整することができることを特徴とする椅子の調整式背もたれの連動調整構造。
【請求項２】
椅座(20)両側と背もたれ(30)両側との間にそれぞれ１つの弾力装置(70)が設置されることにより、背もたれ(30)を後に倒した状態で、コントロールハンドル(61)を上に引っ張ることにより、弾力装置(70)の力により背もたれ(30)を元の位置まで起こすことができることを特徴とする請求項１記載の椅子の調整式背もたれの連動調整構造。
【請求項３】
上記構造中、連動ロッド(60)が椅座(20)上に枢軸設置される位置は椅座(20)の前部でもよく、
且つ、連動ロッド(60)上端部は調整ロッド(40)下部に設置され、
更に連動ロッド(60)下端両側にそれぞれ１つのコントロールハンドル(61)が後向きに設置され、
椅座(20)両側と背もたれ(30)両側との間にそれぞれ１つの弾力装置(70)が設置されることにより、背もたれ(30)を後に倒した状態で、コントロールハンドル(61)を上に引っ張ることにより、弾力装置(70)の力により背もたれ(30)を元の位置まで起こすことができることを特徴とする請求項１記載の椅子の調整式背もたれの連動調整構造。
【請求項４】
上記構造中、連動ロッド(60)が椅座(20)上に枢軸設置される位置は椅座(20)の後部でもよく、
且つ、連動ロッド(60)上端部は係止装置(50)内に枢軸設置され、
連動ロッド(60)下端両側にそれぞれ１つのコントロールハンドル(61)が前向きに設置される構造により、コントロールハンドル(61)を上に引っ張ることにより、連動ロッド(60)の上端が調整ロッド(40)を上に押し上げ、係止装置(50)の係止状態を解除し、背もたれ(30)の角度を調整することができることを特徴とする請求項１記載の椅子の調整式背もたれの連動調整構造。
【考案の詳細な説明】
【技術分野】
【０００１】
本考案は一種の椅子の調整式背もたれに係るものであり、特に、背もたれ(30)の傾斜角度を調整することができる椅子の調整式背もたれの連動調整構造に係るものである。
【背景技術】
【０００２】
従来の角度調整式背もたれの椅子は図９と図１０が示す如く、
椅座(10)の後方に傾斜角度の調整が可能な背もたれ(11)を有し、
椅座(10)両側にそれぞれ１つの肘掛け(12)を有し、
２つの肘掛け(12)と背もたれ(11)とが係合され、
背もたれ(11)は椅座(10)上に傾斜角度調整ができるよう枢軸設置され、
２つの肘掛け(12)と椅座(10)との間に係止装置(13)を有し、
２つの肘掛け(12)を同時に上に引っ張ることにより、肘掛け(12)と椅座(10)との係合が外れ、肘掛け(12)の角度を変えることができ、
又、２つの肘掛け(12)を同時に下に押すことにより、椅座(10)と係合することができ、
上記により背もたれ(11)の角度を変化させることができるが、上記構造は下記の問題があり、改良が待たれている。
【０００３】
背もたれ(11)の角度を調整する時、２つの肘掛け(12)を両手で持ち、
同時に引っ張り、
且つ、係止装置(13)が係合しないようにしながら、肘掛け(12)を動かすことにより、背もたれ(11)の角度を変化させることができるが、
上記構造は背もたれ(11)の角度を変化させる時、両手で同時に２つの肘掛け(12)を引っ張り上げ、係止装置(13)を離脱させることにより、初めて背もたれ(11)の角度を調整することができる構造である為、極めて不便であり、手や足が不便な老人にとっては容易に角度調整を行なうことができないという問題がある。
【考案の開示】
【考案が解決しようとする課題】
【０００４】
本考案は、上記従来の問題点を解決することを課題とする。
【課題を解決するための手段】
【０００５】
前記の目的を図るために、本考案の椅子の調整式背もたれの連動調整構造は
２つの調整ロッド(40)が１つの連動ロッド(60)により結合されることにより、１つの調整ロッド(40)を動かした時、同時にもう１つの側の調整ロッド(40)も連動して動く構造により１つの該調整ロッド(40)を前後に移動させることにより、同時に背もたれ(30)の角度が変化し、楽に背もたれ(30)の傾斜角度を調整することができる構造を提供する。
【考案の効果】
【０００６】
使用者が背もたれ(30)の傾斜角度の調整を行なう時、使用者はどちらか一方のコントロールハンドル(61)を引っ張るだけでよく、コントロールハンドル(61)を上に引っ張ることにより、連動する連動ロッド(60)の両端も上昇し、調整ロッド(40)を押し上げる為、係止装置(50)の係止状態が解除され、
２つの調整ロッド(40)が１つの連動ロッド(60)により結合されることにより、２つの調整ロッド(40)が連動して動く構造により簡単、且つ、楽に背もたれ(30)の傾斜角度を調整することができる。
【考案を実施するための最良の形態】
【０００７】
以下に添付図面を参照して本考案のある好適な実施の形態を詳細に説明するが、それらの構成は本考案の構造の絶対的な制限にならない。
図１〜６が示す如く、本考案は一種の椅子の調整式背もたれの連動調整構造を提供するもので、
椅座(20)の後方に傾斜角度の調整が可能な背もたれ(30)が設置され、
椅座(20)両側にそれぞれ１つの調整ロッド(40)が設置され、
各調整ロッド(40)は一端が背もたれ(30)両側と係合され、
且つ、各調整ロッド(40)は係止装置(50)を具備し、
該係止装置(50)により調整ロッド(40)を前後に移動させた後、位置を固定することができ、
該調整ロッド(40)を前後に移動させる時、同時に背もたれ(30)の角度が変化し、
２つの調整ロッド(40)が１つの連動ロッド(60)により結合されることにより、１つの調整ロッド(40)を動かした時、同時にもう１つの側の調整ロッド(40)も連動して動く構造により楽に背もたれ(30)の傾斜角度を調整することができ、
又、図１、２が示す如く、椅座(20)両側の調整ロッド(40)の下方にそれぞれ１つのコントロールハンドル(61)が設置され、
使用者は椅座(20)に座り、背もたれ(30)の角度調整を行なう時、２つのコントロールハンドル(61)のうち、どちらかのコントロールハンドル(61)を動かすことにより、背もたれ(30)の傾斜角度を調整することができる。
【０００８】
上記構造における本考案の連動動作状況は下記の如くである。
図３〜６が示す如く、椅座(20)の後方に傾斜角度の調整が可能なように背もたれ(30)が枢軸設置され、
椅座(20)両側にそれぞれ１つの調整ロッド(40)が設置され、
各調整ロッド(40)は一端が背もたれ(30)両側と枢軸固定され、
且つ、各調整ロッド(40)は係止装置(50)を具備し、
該係止装置(50)は調整ロッド(40)が上に移動する時、調整ロッド(40)を前後に可動状態にし、調整ロッド(40)が下に移動する時、調整ロッド(40)を固定状態にすることができ、
該調整ロッド(40)を前後に移動させる時、同時に背もたれ(30)の角度が変化し、
又、２つの調整ロッド(40)は１つの連動ロッド(60)により結合され、
該連動ロッド(60)は椅座(20)上に枢軸設置され、両端はそれぞれ調整ロッド(40)の下に枢軸設置され、
且つ、連動ロッド(60)の両外側にそれぞれ１つのコントロールハンドル(61)が設置される。
【０００９】
図１、２及び４〜６が示す如く、使用者が椅座(20)上に座り、背もたれ(30)にもたれかかった状態で、背もたれ(30)の傾斜角度を調整を行なう時、使用者は直接座った状態、或いは寝た状態のまま、どちらか一方のコントロールハンドル(61)を引っ張るだけでよく、コントロールハンドル(61)を上に引っ張ることにより、連動する連動ロッド(60)の両端も上昇し、調整ロッド(40)を押し上げる為、係止装置(50)の係止状態が解除され、調整ロッド(40)を前後に動かすことができ、これにより背もたれ(30)の傾斜角度を調整することができ、傾斜角度調整後、コントロールハンドル(61)を放すことにより、係止装置(50)が再び係止状態となり、背もたれ(30)の傾斜角度を固定することができる。
【００１０】
上記構造中、連動ロッド(60)が椅座(20)上に枢軸設置される位置は椅座(20)の前部でもよく（図３、４、５、６）、
且つ、連動ロッド(60)上端部は調整ロッド(40)下部に設置され、
更に連動ロッド(60)下端両側にそれぞれ１つのコントロールハンドル(61)が後向きに設置され、
椅座(20)両側と背もたれ(30)両側との間にそれぞれ１つの弾力装置(70)が設置されることにより、背もたれ(30)を後に倒した状態で、コントロールハンドル(61)を上に引っ張ることにより、弾力装置(70)の力により背もたれ(30)を元の位置まで起こすことができる。
【００１１】
上記構造中、連動ロッド(60)が椅座(20)上に枢軸設置される位置は椅座(20)の後部でもよく（図７）、
且つ、連動ロッド(60)上端部は係止装置(50)内に枢軸設置され、
連動ロッド(60)下端両側にそれぞれ１つのコントロールハンドル(61)が前向きに設置される構造により、コントロールハンドル(61)を上に引っ張ることにより、連動ロッド(60)の上端が調整ロッド(40)を上に押し上げ、係止装置(50)の係止状態を解除し、背もたれ(30)の角度を調整することができる。
【００１２】
上記構造中、椅座(20)は折りたたみ式でもよく（図８）、
連動ロッド(60)が椅座(20)上に枢軸設置される位置は椅座(20)の前部でもよく、
連動ロッド(60)上端部は係止装置(50)底部に接触し、
更に連動ロッド(60)下端両側にそれぞれ１つのコントロールハンドル(61)が後向きに設置される構造により、コントロールハンドル(61)を上に引っ張ることにより、連動ロッド(60)の上端が調整ロッド(40)を上に押し上げ、係止装置(50)の係止状態を解除し、背もたれ(30)の角度を調整することができる。
【図面の簡単な説明】
【００１３】
【図１】本考案の椅子の調整式背もたれの連動調整構造を示す立体図である。
【図２】本考案の椅子の調整式背もたれの連動調整構造における背もたれ(30)の傾斜角度調整動作図である。
【図３】本考案の椅子の調整式背もたれの連動調整構造の連動関係を示す側視図である。
【図４】本考案の椅子の調整式背もたれの連動調整構造の連動関係を示す立体図である。
【図５】本考案の椅子の調整式背もたれの連動調整構造の調整動作を示す側視図である。
【図６】本考案の椅子の調整式背もたれの連動調整構造の調整連動関係を示す俯瞰図である。
【図７】本考案のもう１つの実施例の連動関係立体図である。
【図８】本考案の又もう１つの実施例の連動関係立体図である。
【図９】従来の立体組み合わせ及び動作図である。
【符号の説明】
【００１４】
従来の符号の説明：
10  
椅座
11   背もたれ
12   肘掛け
13   係止装置
本考案の符号の説明：
20   椅座
30   背もたれ
40   調整ロッド
50   係止装置
60   連動ロッド
61   コントロールハンドル
70  
弾力装置
【図１】
0003118362.tif 000003
【図２】
0003118362.tif 000004
【図３】
0003118362.tif 000005
【図４】
0003118362.tif 000006
【図５】
0003118362.tif 000007
【図６】
0003118362.tif 000008
【図７】
0003118362.tif 000009
【図８】
0003118362.tif 000010
【図９】
0003118362.tif 000011